(57)【要約】【課題】本発明は、舌保護用ティップス(ＴＩＳＰ:Ｔｗｉｓｔ Ｉｓｏｌａｔｅｄ Ｐｌａｔｅ ｏｆ Ｓｕｃｔｉｏｎ)、バイトブロックおよび唾液吸引機能を有する口腔照明器に関する。【解決手段】特に、患者は舌が安定的に保護された状態で歯科治療が受けられるように誘導し、のどに溜まった唾液を迅速に除去して異物感を最小化し、口腔内において治療しようとする一側の反対側に舌を隔離して治療空間を確保すると共に、患者の口腔内を全体的に明るく照明して医師が容易に歯科診療をできるようにする唾液吸引機能を有する舌保護用ティップス、バイトブロックおよび唾液吸引機能を有する口腔照明器を提供する。【選択図】図８
2012505702.tif 000002
【特許請求の範囲】
【請求項１】
口腔内の一側の上下歯によって噛ませて口腔を開放するバイトブロックに嵌脱が可能であり、
一側は、前記バイトブロックに嵌挿され、
他側は、舌の一側面を覆い、前記口腔内の他側の舌の根側に延び、歯科治療時に舌を保護する舌保護用ティップス。
【請求項２】
前記舌保護用ティップスは、
前記バイトブロックに嵌挿するブロック嵌挿部と、
前記ブロック嵌挿部から前記口腔内の他側の舌の根側に曲がって延びるティップス本体部と、
前記ティップス本体部の一側の隅から下部に延びて前記舌の一側面を覆う舌保護部と、を含むことを特徴とする請求項１に記載の舌保護用ティップス。
【請求項３】
前記舌保護部は、前記舌の先端部をさらに覆い、前記舌を前記口腔内の他側の歯から隔離させることを特徴とする請求項２に記載の舌保護用ティップス。
【請求項４】
前記舌保護用ティップスの他側は、仮想の延長軸を中心に前記舌保護用ティップスの一側から延びるが、
前記舌の一側面を覆うように前記延長軸を中心に一定の角度で捩れて延びることを特徴とする請求項１〜請求項３のいずれか１項に記載の舌保護用ティップス。
【請求項５】
前記舌保護用ティップスの一側と他側を貫通し、のどから前記口腔内の他側の舌の根に溜まってくる唾液を吸引する唾液吸引管が穿設されることを特徴とする請求項１〜請求項３のいずれか１項に記載の舌保護用ティップス。
【請求項６】
前記唾液吸引管は複数の唾液吸引管が穿設されることを特徴とする請求項５に記載の舌保護用ティップス。
【請求項７】
前記舌保護用ティップスの一側と他側を貫通し、のどから前記口腔内の他側の舌の根に溜まってくる唾液を吸引する唾液吸引管が穿設されることを特徴とする請求項４に記載の舌保護用ティップス。
【請求項８】
前記唾液吸引管は複数の唾液吸引管が穿設されることを特徴とする請求項７に記載の舌保護用ティップス。
【請求項９】
口腔内の一側の上下歯によって噛ませて口腔を開放するブロック本体と、
前記ブロック本体の一端が穿孔されて外部の光源が挿入される光源挿入溝と、
前記ブロック本体の口腔内側に形成され、舌保護用ティップスが嵌挿されるティップス嵌挿溝と、
前記光源挿入溝と離隔されて前記ブロック本体の一側に穿設され、前記ティップス嵌挿溝に貫通し、外部の吸引配管と連結されてティップス嵌挿溝に流れ込む唾液を前記吸引配管に伝達する唾液伝達管とが備えられるバイトブロック。
【請求項１０】
前記ティップス嵌挿溝は、互いに離隔された複数のティップス嵌挿溝からなり、
前記唾液伝達管は、前記ティップス嵌挿溝にそれぞれ貫通し、互いに離隔された複数の唾液伝達管からなることを特徴とする請求項９に記載のバイトブロック。
【請求項１１】
前記ティップス嵌挿溝は、第１ティップス嵌挿溝および第２ティップス嵌挿溝の２つのティップス嵌挿溝からなり、
前記唾液伝達管は、前記第１ティップス嵌挿溝および第２ティップス嵌挿溝にそれぞれ連結される第１唾液伝達管および第２唾液伝達管からなることを特徴とする請求項１０に記載のバイトブロック。
【請求項１２】
前記ティップス嵌挿溝は、互いに離隔された複数のティップス嵌挿溝からなり、
前記唾液伝達管は、前記ティップス嵌挿溝に分岐されて同時に連結されることを特徴とする請求項９に記載のバイトブロック。
【請求項１３】
前記ティップス嵌挿溝は、互いに離隔された第１ティップス嵌挿溝および第２ティップス嵌挿溝の２つのティップス嵌挿溝からなることを特徴とする請求項１２に記載のバイトブロック。
【請求項１４】
前記ブロック本体の上部および下部には、前記上下歯によって噛まれるバイト凹溝が形成されることを特徴とする請求項９〜請求項１３のいずれか１項に記載のバイトブロック。
【請求項１５】
前記バイト凹溝には、前記上下歯の滑り止めのためのバイト突起が形成されることを特徴とする請求項１４に記載のバイトブロック。
【請求項１６】
前記バイト突起は、前記バイト凹溝の底部に形成されることを特徴とする請求項１５に記載のバイトブロック。
【請求項１７】
前記ブロック本体は、前記光源の光を透過する透明な材質からなることを特徴とする請求項９に記載のバイトブロック。
【請求項１８】
一端に光源を備えるハンドピースと、
前記ハンドピースの一端に結合し、前記光源の光を口腔内部に伝達し、前記口腔内の一側の上下歯に噛ませて口腔を開放するバイトブロックと、
一側が前記バイトブロックに嵌挿され、他側は舌の一側面を覆い、前記口腔内の他側の舌の根側に延びる舌保護用ティップスと、を含む口腔照明器。
【請求項１９】
前記舌保護用ティップスは、
前記バイトブロックに嵌挿するブロック嵌挿部と、
前記ブロック嵌挿部から前記口腔内の他側の舌の根側に曲がって延びるティップス本体部と、
前記ティップス本体部の一側隅から下部に延び、前記舌の一側面を覆う舌保護部と、
を含むことを特徴とする請求項１８に記載の口腔照明器。
【請求項２０】
前記舌保護部は、前記舌の先端部をさらに覆い、前記舌を前記口腔内の他側の歯と隔離させることを特徴とする請求項１９に記載の口腔照明器。
【請求項２１】
前記舌保護用ティップスの他側は、仮想の延長軸を中心に前記舌保護用ティップスの一側から延びるが、
前記舌の一側面を覆うように前記延長軸を中心に一定の角度で捩れて延びることを特徴とする請求項１８〜請求項２０のいずれか１項に記載の口腔照明器。
【請求項２２】
前記舌保護用ティップスの一側と他側を貫通し、のどから前記口腔内の他側の舌の根に溜まってくる唾液を吸引する唾液吸引管が穿設されることを特徴とする請求項１８〜請求項２０のいずれか１項に記載の口腔照明器。
【請求項２３】
前記唾液吸引管は複数の唾液吸引管が穿設されることを特徴とする請求項２２に記載の口腔照明器。
【請求項２４】
前記舌保護用ティップスの一側と他側を貫通し、のどから前記口腔内の他側の舌の根に溜まってくる唾液を吸引する唾液吸引管が穿設されることを特徴とする請求項２１に記載の口腔照明器。
【請求項２５】
前記唾液吸引管は複数の唾液吸引管が穿設されることを特徴とする請求項２４に記載の口腔照明器。
【請求項２６】
前記バイトブロックは、
前記口腔内の一側の上下歯に噛ませるブロック本体と、
前記ブロック本体の一端が穿孔されて記光源が挿入される光源挿入溝と、
前記ブロック本体の口腔内側に形成され、前記舌保護用ティップスが嵌挿されるティップス嵌挿溝と、を含むことを特徴とする請求項２２に記載の口腔照明器。
【請求項２７】
前記ハンドピースは、前記ハンドピースの一端と他端を貫通し、
外部の吸引器と連結される吸引配管をさらに含み、
前記バイトブロックは前記吸引配管と連結され、前記ティップス嵌挿溝に貫通し、前記ティップス嵌挿溝に流れ込む唾液を前記吸引配管に伝達する唾液伝達管が備えられることを特徴とする請求項２６に記載の口腔照明器。
【請求項２８】
前記ティップス嵌挿溝は、互いに離隔された複数のティップス嵌挿溝からなり、
前記唾液伝達管は、前記ティップス嵌挿溝にそれぞれ貫通する互い離隔された複数の唾液伝達管からなることを特徴とする請求項２７に記載の口腔照明器。
【請求項２９】
前記吸引配管は、離隔された複数の吸引配管がからなり、
前記唾液伝達管は、前記吸引配管にそれぞれ連結されることを特徴とする請求項２８に記載の口腔照明器。
【請求項３０】
前記吸引配管は、第１吸引配管および第２吸引配管の２つの吸引配管、
前記ティップス嵌挿溝は、第１ティップス嵌挿溝および第２ティップス嵌挿溝の２つのティップス嵌挿溝、
前記唾液伝達管は、各々第１吸引配管および第２吸引配管に連結され、前記第１ティップス嵌挿溝および第２ティップス嵌挿溝に貫通する第１唾液伝達管および第２唾液伝達管からなることを特徴とする請求項２９に記載の口腔照明器。
【請求項３１】
前記ティップス嵌挿溝は、互いに離隔された複数のティップス嵌挿溝からなり、
前記唾液伝達管は、前記ティップス嵌挿溝に分岐されると同時に貫通することを特徴とする請求項２７に記載の口腔照明器。
【請求項３２】
前記ブロック本体の上部および下部には、前記上下歯によって噛まれるバイト凹溝が形成されることを特徴とする請求項３０に記載の口腔照明器。
【請求項３３】
前記バイト凹溝には、前記上下歯の滑り止めのためのバイト突起が形成されることを特徴とする請求項３２に記載の口腔照明器。
【請求項３４】
前記バイト突起は、前記バイト凹溝の底部に形成されることを特徴とする請求項３３に記載の口腔照明器。
【請求項３５】
前記ハンドピースは、前記吸引配管を開閉する弁を含むことを特徴とする請求項３０に記載の口腔照明器。
【請求項３６】
前記弁は、前記ハンドピースの内部において前記吸引配管に同時に設けられ、前記吸引配管を選択的に開閉する１つの開閉弁からなることを特徴とする請求項３５に記載の口腔照明器。
【請求項３７】
前記ハンドピースは、前記開閉弁を駆動する弁駆動レバーをさらに含むことを特徴とする請求項３６に記載の口腔照明器。
【請求項３８】
前記ハンドピースは、外部の一定部分に前記光源をオンおよびオフする光源制御スイッチをさらに含むことを特徴とする請求項３７に記載の口腔照明器。
【請求項３９】
前記光源制御スイッチはタッチスイッチであることを特徴とする請求項３８に記載の口腔照明器。
【請求項４０】
前記バイトブロックは、前記光源の光を透過する透明な材質からなることを特徴とする請求項１８に記載の口腔照明器。
【請求項４１】
前記光源はＬＥＤであることを特徴とする請求項１８に記載の口腔照明器。
【請求項４２】
前記ハンドピースの一定部分に備えられ、口腔内部に紫外線を照射する紫外線ランプをさらに含むことを特徴とする請求項１８〜請求項２０のいずれか１項に記載の口腔照明器。
【請求項４３】
前記紫外線ランプは前記光源に備えられることを特徴とする請求項４２に記載の口腔照明器。
【請求項４４】
前記ハンドピースの一定部分に備えられ、口腔内部の診療映像を得るカメラをさらに含むことを特徴とする請求項１８〜請求項２０のいずれか１項に記載の口腔照明器。
【請求項４５】
前記カメラは前記光源に備えられることを特徴とする請求項４４に記載の口腔照明器。
【発明の詳細な説明】
【技術分野】
【０００１】
本発明は、舌保護用ＴＩＰＳ(Ｔｗｉｓｔ Ｉｓｏｌａｔｅｄ Ｐｌａｔｅ ｏｆ Ｓｕｃｔｉｏｎ、以下、ティップスとする。)、バイトブロックおよび唾液吸引機能を有する口腔照明器に関し、特に、患者は舌が安定的に保護された状態で歯科治療が受けられるように誘導し、のどに溜まった唾液を迅速に除去して異物感を最小化し、口腔内において治療しようとする一側の反対側に舌を隔離して治療空間を確保すると共に、患者の口腔内を全体的に明るく照明して医師が容易に歯科治療を行うことができるようにする唾液吸引機能を有する舌保護用ティップス、バイトブロックおよび唾液吸引機能を有する口腔照明器に関する。
【背景技術】
【０００２】
一般に、歯科診療は、患者の口腔内部を容易に観察するために外部光源によって患者の口腔内を照明した後、医師および衛生士の視野を確保することにより行われる。
しかしながら、外部光源を患者の口腔内に照明すると同時に歯科診療を行うには熟練の医師や衛生士にも困難があり、外部光源を狭くて深い口腔内に照明して口腔内部を全て明るくするのには口腔の構造上不可能であった。
近年、上記のような問題点を解決するために、口腔内部に挿入して口腔を照明し、口腔内の唾液を吸引する口腔照明器(特許文献１)が開発された。
図１は、従来の口腔照明器を示す図であり、図２は、従来の口腔照明器を口腔内に装着した例示図であり、図３は、従来の口腔照明器の唾液吸引過程を説明するための図である。
図面を参照すると、従来の口腔照明器は、一側に光ファイバが結合するチューブ結合孔１１が形成されたチューブ結合部１０と、上下側の翼２１、２２により舌を内側に押し入れて中央部に形成される舌保護部２０と、上記チューブ結合部１０と上記舌保護部２０との間に形成され、患者が歯で噛んで口腔内への固定を容易にするバイトブロック３０とを含んで構成される。
すなわち、従来の口腔照明器は、患者に上記バイトブロック３０を口腔内の一側の上下歯で噛ませ、舌保護部２０を舌の前方に挿入して舌を口腔内側に押し入れることにより、医師の施術空間を確保すると共に口腔内部を照明する装置である。
また、上記チューブ結合部１０の光ファイバ結合孔５３には光ファイバが挿入されて口腔内部を照明する。
これにより、上記光ファイバが口腔内部で発光して口腔内を均一に照明できるという効果がある。
また、上記バイトブロック３０には、ブロック突起３２とブロック凹溝３１とが備えられ、上記口腔照明器が患者の歯から滑って離脱することを防止し、頬支持部４０は、他側の上下歯に固定されて上記口腔照明器が患者の口腔内にしっかり固定されるようにする。
また、上記チューブ結合部１０に形成された第１吸引孔５１、第２吸引孔５２およびブロック吸引孔５４と上記舌保護部２０に形成された吸引細孔２３を用いて口腔内の唾液１を吸引して外部に排出させる。
しかしながら、上記吸引細孔２３は、口腔内の様々な部分で唾液を吸引する効果はあるが、上記吸引孔５１、５２、５４と直接的に連結されていないので、吸引力の損失が大きいという欠点がある。
また、従来の口腔照明器は、上記舌保護部２０が、舌を前方から口腔の内側に押し入れて固定するため、患者が舌に圧迫を感じ得、また、唾液１がのどから舌の前方まで溜まらないと上記吸引細孔２３により唾液１を吸引することが不可能なため、唾液１による異物感が大きいという欠点がある。
また、従来の口腔照明器は、上記チューブ結合部１０、上記舌保護部２０および上記バイトブロック３０が一体型に作製されるので、サイズが大きく患者に心理的な不安感を与え得、洗浄に困難があるという欠点がある。
【先行技術文献】
【特許文献】
【０００３】
【特許文献１】韓国特許第０６５４３９２号公報
【発明の概要】
【発明が解決しようとする課題】
【０００４】
本発明者らは、歯科診療時に患者の舌を安定的に保護し、唾液を迅速に除去することができ、効果的に洗浄できると共に口腔内部を全体的に明るく照明できる口腔照明器を開発するために研究を重ねた結果、本発明を完成するに至った。
したがって、本発明の目的は、患者の舌を圧迫せず、口腔内において治療しようとする一側の反対側に舌を隔離し、治療時に舌を安定的に保護すると共に、上記口腔内の一側の治療空間を十分確保し、且つ口腔内部を均一に照明できる舌保護用ティップス、バイトブロックおよび口腔照明器を提供することにある。
また、本発明の他の目的は、のどに溜まった唾液を吸引力の損失なく迅速に吸引して外部に排出させることにより、唾液による異物感を最小化することができる舌保護用ティップス、バイトブロックおよび口腔照明器を提供することにある。
また、本発明のさらなる他の目的は、バイトブロックを患者の一側の上下歯に噛ませて口腔を開放すると共に、上記バイトブロック内部に光源を挿入して口腔内部を直接的に照明することにより、効率よく口腔内部を照明できる舌保護用ティップス、バイトブロックおよび口腔照明器を提供することにある。
また、本発明のさらなる他の目的は、舌保護用ティップスとバイトブロックとが互いに分離可能であって、洗浄が容易な舌保護用ティップス、バイトブロックおよび口腔照明器を提供することにある。
また、本発明のさらなる他の目的は、診療時に口腔内の細菌を殺菌することが可能であり、診療過程を撮影して医師や患者に提供できる舌保護用ティップス、バイトブロックおよび口腔照明器を提供することにある。
本発明の目的は、以上で言及した目的に制限されず、言及しないまた他の目的は次の記載から当業者に明確に理解されるだろう。
【課題を解決するための手段】
【０００５】
上記の目的を達成するために、本発明は、口腔内の一側の上下歯によって噛ませて口腔を開放するバイトブロックに嵌脱が可能であり、一側は上記バイトブロックに嵌挿され、他側は舌の一側面を覆い、上記口腔内の他側の舌の根側に延び、歯科治療時に舌を保護する舌保護用ティップスを提供する。
望ましい実施例において、上記舌保護用ティップスは、上記バイトブロックに嵌挿するブロック嵌挿部と、上記ブロック嵌挿部から上記口腔内の他側の舌の根側に曲がって延びるティップス本体部と、上記ティップス本体部の一側の隅から下部に延びて上記舌の一側面を覆う舌保護部とを含む。
望ましい実施例において、上記舌保護部は、上記舌の先端部をさらに覆い、上記舌を上記口腔内の他側の歯から隔離させて舌を保護する。
望ましい実施例において、上記舌保護用ティップスの他側は、仮想の延長軸を中心に上記舌保護用ティップスの一側から延びるが、上記舌の一側面を覆うように上記延長軸を中心に一定の角度で捩れて延びる。
望ましい実施例において、上記舌保護用ティップスの一側と他側を貫通し、のどから上記口腔内の他側の舌の根に溜まってくる唾液を吸引する唾液吸引管が穿設される。
望ましい実施例において、上記唾液吸引管は複数の唾液吸引管が穿設されても良い。
また、本発明は、口腔内の一側の上下歯によって噛ませて口腔を開放するブロック本体と、上記ブロック本体の一端が穿孔されて外部の光源が挿入される光源挿入溝と、上記ブロック本体の口腔内側に形成され、舌保護用ティップスが嵌挿されるティップス嵌挿溝と、上記光源挿入溝と離隔されて上記ブロック本体の一側に穿設され、上記ティップス嵌挿溝に貫通し、外部の吸引配管と連結されて上記ティップス嵌挿溝に流れ込む唾液を上記吸引配管に伝達する唾液伝達管とが備えられるバイトブロックを提供する。
望ましい実施例において、上記ティップス嵌挿溝は、互いに離隔された複数のティップス嵌挿溝からなり、上記唾液伝達管は、上記ティップス嵌挿溝にそれぞれ貫通し、互いに離隔された複数の唾液伝達管からなる。
望ましい実施例において、上記ティップス嵌挿溝は、第１ティップス嵌挿溝および第２ティップス嵌挿溝の２つのティップス嵌挿溝からなり、上記唾液伝達管は、上記第１ティップス嵌挿溝および第２ティップス嵌挿溝にそれぞれ連結される第１唾液伝達管および第２唾液伝達管からなる。
望ましい実施例において、上記ティップス嵌挿溝は、互いに離隔された複数のティップス嵌挿溝からなり、上記唾液伝達管は、上記ティップス嵌挿溝に同時に貫通することが可能である。
望ましい実施例において、上記ティップス嵌挿溝は、互いに離隔された第１ティップス嵌挿溝および第２ティップス嵌挿溝の２つのティップス嵌挿溝からなる。
望ましい実施例において、上記ブロック本体の上部および下部には上記上下歯によって噛まれるバイト凹溝が形成される。
望ましい実施例において、上記バイト凹溝には上記上下歯の滑り止めのためのバイト突起が形成される。
望ましい実施例において、上記バイト突起は上記バイト凹溝の底部に形成される。
望ましい実施例において、上記ブロック本体は、上記光源の光が透過できるように透明な材質からなる。
また、本発明は、一端に光源を備えるハンドピースと、上記ハンドピースの一端に嵌挿され、上記光源の光を口腔内部に伝達し、上記口腔内の一側の上下歯に噛ませて口腔を開放するバイトブロックと、一側が上記バイトブロックに嵌挿され、他側は舌の一側面を覆い、上記口腔内の他側の舌の根側に延びる舌保護用ティップスと、を含む口腔照明器を提供する。
望ましい実施例において、上記舌保護用ティップスは、上記バイトブロックに嵌挿するブロック嵌挿部と、上記ブロック嵌挿部から上記口腔内の他側の舌の根側に曲がって延びるティップス本体部と、上記ティップス本体部の一側の隅から下部に延びて上記舌の一側面を覆う舌保護部とを含む。
望ましい実施例において、上記舌保護部は、上記舌の先端部をさらに覆い、上記舌を上記口腔内の他側の歯から隔離させて舌を保護する。
望ましい実施例において、上記舌保護用ティップスの他側は、仮想の延長軸を中心に上記舌保護用ティップスの一側から延びるが、上記舌の一側面を覆うように上記延長軸を中心に一定の角度で捩れて延びる。
望ましい実施例において、上記舌保護用ティップスの一側と他側を貫通し、のどから上記口腔内の他側の舌の根に溜まってくる唾液を吸引する唾液吸引管が穿設される。
望ましい実施例において、上記唾液吸引管は複数の唾液吸引管からなっても良い。
望ましい実施例において、上記バイトブロックは、上記ブロック本体の一端が穿孔されて上記光源が挿入される光源挿入溝と、上記ブロック本体の口腔内側に形成され、上記舌保護用ティップスが嵌挿されるティップス嵌挿溝とを含む。
望ましい実施例において、上記ハンドピースは、上記ハンドピースの一端と他端を貫通し、外部の吸引器と連結される吸引配管をさらに含み、上記バイトブロックは、上記吸引配管と連結され、上記ティップス嵌挿溝に貫通されて上記ティップス嵌挿溝に流れ込む唾液を上記吸引配管に伝達する唾液伝達管を備える。
望ましい実施例において、上記ティップス嵌挿溝は、互いに離隔された複数のティップス嵌挿溝からなり、上記唾液伝達管は、上記ティップス嵌挿溝にそれぞれ貫通し互いに離隔された複数の唾液伝達管からなる。
望ましい実施例において、上記吸引配管は離隔された複数の吸引配管からなり、上記唾液伝達管は上記吸引配管にそれぞれ連結される。
望ましい実施例において、上記吸引配管は、第１吸引配管および第２吸引配管の２つの吸引配管、上記ティップス嵌挿溝は、第１ティップス嵌挿溝および第２ティップス嵌挿溝の２つのティップス嵌挿溝、上記唾液伝達管は、各々第１吸引配管および第２吸引配管に連結され、上記第１ティップス嵌挿溝および第２ティップス嵌挿溝に貫通する第１唾液伝達管および第２唾液伝達管からなる。
望ましい実施例において、上記ティップス嵌挿溝は、互いに離隔された複数のティップス嵌挿溝からなり、上記唾液伝達管は、上記ティップス嵌挿溝に分岐されると同時に貫通することが可能である。
望ましい実施例において、上記ブロック本体の上部および下部には上記上下歯によって噛まれるバイト凹溝が形成される。
望ましい実施例において、上記バイト凹溝には上記上下歯の滑り止めのためのバイト突起が形成される。
望ましい実施例において、上記バイト突起は上記バイト凹溝の底部に形成される。
望ましい実施例において、上記ハンドピースは上記吸引配管を開閉する弁を含む。
望ましい実施例において、上記弁は、上記ハンドピースの内部において上記吸引配管に同時に設けられ、上記ティップス嵌挿溝を選択的に開閉する１つの開閉弁からなる。
望ましい実施例において、上記ハンドピースは、上記開閉弁を駆動する弁駆動レバーをさらに含む。
望ましい実施例において、上記ハンドピースは、外部の一定部分に上記光源をオン及びオフする光源制御スイッチをさらに含む。
望ましい実施例において、上記光源制御スイッチはタッチスイッチが備えられる。
望ましい実施例において、上記バイトブロックは、上記光源の光を透過する透明な材質からなる。
望ましい実施例において、上記光源はＬＥＤが備えられる。
望ましい実施例において、上記ハンドピースの一定部分に備えられ、口腔内部に紫外線を照射する紫外線ランプをさらに含む。
望ましい実施例において、上記紫外線ランプは上記光源に備えられる。
望ましい実施例において、上記ハンドピースの一定部分に備えられ、口腔内部の診療映像を得るカメラをさらに含む。
望ましい実施例において、上記カメラは上記光源に備えられる。
【発明の効果】
【０００６】
本発明は次のような優れた効果がある。
先ず、本発明の舌保護用ティップス、バイトブロックおよび口腔照明器によると、患者の舌を口腔後方に押して圧迫することなく、舌の側面を覆い、治療部位から舌を隔離して保護するので、患者は舌が安定した状態で歯科治療を受けることができる。
また、本発明の舌保護用ティップス、バイトブロックおよび口腔照明器によると、舌保護用ティップスを用いて患者の舌を治療しようとする口腔内の一側の反対側に押し入れて隔離させることにより、口腔内の一側の歯の治療空間を十分確保でき、医師は容易に歯科診療を行うことができる。
また、本発明の舌保護用ティップス、バイトブロックおよび口腔照明器によると、舌保護用ティップスが舌の一側の舌の根側に延びるため、唾液が舌の前方に溜まってくる前に、のどから舌の根に溜まってくる唾液を吸引力の損失なく、直ちに吸引することができ、唾液による異物感を最小化できるという効果がある。
また、本発明の舌保護用ティップス、バイトブロックおよび口腔照明器によると、舌保護用ティップス、バイトブロックおよびハンドピースが互いに分離自在になっていて洗浄が容易であるので、常に清潔に維持することが可能であり、患者の２次的感染を防止できるという効果がある。
また、本発明の舌保護用ティップス、バイトブロックおよび口腔照明器によると、紫外線ランプを用いることにより、診療時に発生し得る細菌の感染を低減できるという効果がある。
また、本発明の舌保護用ティップス、バイトブロックおよび口腔照明器によると、カメラを用いて診療映像を得ることが可能であるので、診療過程を医師や患者に提供できるという効果がある。
【図面の簡単な説明】
【０００７】
【図１】従来の口腔照明器を示す図である。
【図２】従来の口腔照明器を口腔内に装着する例示図である。
【図３】従来の口腔照明器の唾液吸引過程を説明するための図である。
【図４】本発明の一実施例に係る舌保護用ティップスの上面を示す図である。
【図５】本発明の一実施例に係る舌保護用ティップスの下面を示す図である。
【図６】本発明の一実施例に係る舌保護用ティップスの唾液吸引過程を説明するための図である。
【図７】本発明の一実施例に係る口腔照明器を示す図である。
【図８】本発明の一実施例に係る口腔照明器の分解斜視図である。
【図９】本発明の一実施例に係る口腔照明器を口腔内に装着することを説明するための図である。
【発明を実施するための形態】
【０００８】
以下、添付の図面を参照して本発明の実施例を詳しく説明する。但し、本発明はこれらの実施例により限定されるものではない。本実施例では明細書全体に亘って同じ構成と機能を有した構成要素に対しては同一の符号を付す。
図４は、本発明の一実施例に係る舌保護用ティップスの上面を示す図であり、図５は、本発明の一実施例に係る舌保護用ティップスの下面を示す図であり、図６は、本発明の一実施例に係る舌保護用ティップスの唾液吸引過程を説明するための図である。
図面を参照すると、本発明の一実施例に係る舌保護用ティップス１００は、口腔内の一側の上下歯に噛ませて口腔を開放するバイトブロック２００に嵌脱自在に設けられ、歯科治療時に舌２を保護する。
また、上記舌保護用ティップス１００の一側１００ａは上記バイトブロック２００に嵌挿され、他側１００ｂは舌２の一側面２ａを覆い、上記口腔内の他側の舌の根２ｂ側に延びる。
すなわち、上記舌保護用ティップス１００は、上記口腔内の一側の上下歯から上記口腔内の他側の舌の根２ｂ側に流線型に曲がった形態で備えられる。
これにより、従来の口腔照明器の舌保護部２０と比較して、舌２を上方から下方に押して舌２を口腔内の後方に圧迫するのではなく、上記舌２の一側面２ａを覆うと同時に、上記口腔内の一側に押し入れて隔離させることにより、上記口腔内の他側の歯の治療空間を十分確保することができる。
すなわち、医師は、容易に患者の口腔内部を治療でき、患者は、舌の圧迫なく、楽で安全な状態で歯科治療を受けることができる。
また、従来の口腔照明器の舌保護部２０は、舌を上方から下方に押して口腔内の後方に圧迫して、患者が自分の舌２を動かすことができなかったが、本発明の一実施例に係る舌保護用ティップス１００は、上記舌保護用ティップス１００が覆う舌２の一側面２ａの反対側に舌２を楽に動かすことができる。
また、上記舌保護用ティップス１００は、上記舌保護用ティップス１００の一側１００ａに形成され、上記バイトブロック２００に嵌挿されるブロック嵌挿部１１０と、上記ブロック嵌挿部１１０から上記口腔内の他側の舌の根２ｂ側に曲がって延びるティップス本体部１２０と、上記ティップス本体部１２０の一側の隅から下部に延びて舌２の一側面２ａを覆う舌保護部１３０とを含む。
また、上記舌保護部１３０は、舌２の先端部２ｃをさらに覆うことができ、患者の前歯と口腔内の他側の歯の治療空間を確保する。
また、上記舌保護用ティップス１００は、上記舌保護用ティップス１００の一側１００ａと他側１００ｂを貫通し、上記口腔内の他側の舌の根２ｂに溜まってくる唾液１を吸引する唾液吸引管１４０を備える。
また、上記唾液吸引管１４０は複数の唾液吸引管からなっても良い。
また、上記唾液吸引管１４０は、上記舌保護用ティップス１００の他側１００ｂから上記舌保護用ティップス１００の一側１００ａに唾液１を伝達する。
すなわち、本発明の一実施例に係る舌保護用ティップス１００は、図６に示すように、上記口腔内の他側の舌の根２ｂに溜まってくる唾液１を直ちに吸引することができる。
これにより、従来の口腔照明器の吸引細工２３と比較して、上記唾液吸引管１４０が直接唾液１を吸引するため、吸引力の損失なく、唾液１が舌２の前方に溜まってくる前に舌の根の近くで迅速に吸引することが可能であることから、唾液による患者の異物感を最小化することができる。
また、上記舌保護用ティップス１００の他側１１０ｂは、仮想の延長軸(ａ)を中心に上記舌２の一側面２ａを覆うように一定の角度(α)で捩れて曲がって延びることが可能である。
したがって、上記舌保護用ティップス１００は、上記舌２の一側面２ａの下部まで覆って保護することができる。
図７は、本発明の一実施例に係る口腔照明器を示す図であり、図８は、本発明の一実施例に係る口腔照明器の分解斜視図であり、図９は、本発明の一実施例に係る口腔照明器を口腔内に装着することを説明するための図である。
図面を参照すると、本発明の一実施例に係る口腔照明器は、ハンドピース３００、バイトブロック２００および舌保護用ティップス１００を含んでなる。
上記ハンドピース３００は一端に光源３１０を備え、上記光源３１０を以下で説明するバイトブロック２００に挿入して固定することにより、口腔内部を直接照明する。
また、上記ハンドピース３００は、外部の一定部分に上記光源３１０をオン/オフする光源制御スイッチ３２０を備える。
本発明の一実施例では、上記光源制御スイッチ３２０としてタッチスイッチを備えて手で一度接触すると上記光源３１０が「オン」になり、もう一度接触すると上記光源３１０が「オフ」になる。
しかしながら、上記光源制御スイッチ３２０としては、公知の様々なスイッチを備えることができることは勿論である。
また、上記光源３１０は、複数のＬＥＤ光源を含み、上記バイトブロック２００への挿入が容易なようにバー形状の面光源を備えることにより、影を最小化し口腔内部を照明することができる。
また、上記光源３１０は、上記ＬＥＤ光源と隣接して備えられ、診療時に、紫外線を口腔内部に照射することから発生し得る細菌を殺菌できる紫外線ランプ(図示せず)をさらに含む。
しかしながら、上記紫外線ランプは、口腔内部に紫外線を照射できるならば、上記ハンドピース３００のどのような位置にも備えることができる。
また、上記光源３１０は、口腔内部の診療映像を得るカメラ(図示せず)をさらに備える。
これにより、医師や患者が後で診療映像を確認することで、診療に対する信頼性を確保できるという効果がある。
また、上記カメラは、口腔内部を撮影できるならば、上記ハンドピース３００のどのような位置にも備えることが可能であり、本発明では、上記光源３１０に備えて効果的に診療映像を得ることができるようにした。
また、上記ハンドピース３００の内部には、上記ハンドピース３００の一端と他端を貫通し、唾液を外部の吸引器(図示せず)に伝達する吸引配管３３０が穿設される。
また、上記ハンドピース３００の内部には上記吸引配管３３０を開閉する弁３４０が、上記ハンドピース３００の外部には上記弁３４０を駆動する弁駆動レバー３５０が備えられる。
より詳しくは、上記吸引配管３３０は、互いに離隔された第１吸引配管３３１および第２吸引配管３３２の２つの吸引配管からなり、上記弁３４０は、上記吸引配管３３１、３３２を同時に貫通して設けられ、上記吸引配管３３１、３３２を選択的に開閉する１つの開閉弁からなる。
また、上記弁３４０は、互いに異なる方向に穿設され、各々上記第１吸引配管３３１および第２吸引配管３３２と選択的に連結される第１弁孔３４１および第２弁孔３４２からなる。
すなわち、上記第１吸引配管３３１が上記第１弁孔３４１により開かれると、上記第２吸引配管３３２は閉じられ、上記第２吸引配管３３２が上記第２弁孔３４２により開かれると、上記第１吸引配管３３１が閉じられ、上記弁駆動レバー３５０が上記吸引配管３３１、３３２を選択的に開閉できるようにした。
しかしながら、上記弁３４０は、第１吸引配管３３１および第２吸引配管３３２にそれぞれ設けられる２つの弁からなっても良く、上記弁駆動レバー３５０も、上記２つの弁をそれぞれ駆動する２つの弁駆動レバーからなっても良い。
また、上記吸引配管３３１、３３２は、上記弁３４０と上記外部の吸引器(図示せず)との間で互いに合流して、上記外部の吸引器(図示せず)が効率よく唾液を吸引するようにした。
しかしながら、上記吸引配管３３１、３３２をそれぞれ上記外部の吸引器(図示せず)と連結できることは勿論である。
上記バイトブロック２００は、口腔内の一側の上下歯に噛ませて口腔を開放し、上記口腔内の一側の上下歯に噛まれるブロック本体２１０を含んでなる。
また、上記ブロック本体２１０の一側には上記光源３１０が挿入される光源挿入溝２１１が穿設される。
より詳しくは、上記光源挿入溝２１１は、患者が上記ブロック本体２１０を噛んだ際に口腔の前方から見える一側に穿設される。
また、上記ブロック本体２１０は、上記光源挿入溝２１１に挿入された光源３１０が上記ブロック本体２１０の外部に効率よく透過されるように、光透過率が高い透明な材質で作製した。
また、上記ブロック本体２１０は、患者が上記ブロック本体２１０を噛んだ際に、口腔内側に向かって上記舌保護用ティップス１００が嵌挿されるティップス嵌挿溝２１２が形成される。
また、上記ブロック本体２１０には、上記ブロック本体２１０の一側に上記光源挿入溝２１１と離隔され、上記ブロック本体２１０の一端と上記ティップス嵌挿溝２１２を貫通する唾液伝達管２１３が穿設される。
また、上記ティップス嵌挿溝２１２は、互いに離隔された複数のティップス嵌挿溝２１２ａ、２１２ｂからなり、より詳しくは、左側用舌保護用ティップスと右側用舌保護用ティップスとをそれぞれ嵌挿できる第１ティップス嵌挿溝２１２ａおよび第２ティップス嵌挿溝２１２ｂの２つのティップス嵌挿溝２１２ａ、２１２ｂを備えた。
また、上記唾液伝達管２１３は、互いに離隔され、上記ブロック本体２１０の一側から上記各ティップス嵌挿溝２１２ａ、２１２ｂに貫通する２つの唾液伝達管２１３ａ、２１３ｂからなる。
しかしながら、上記唾液伝達管２１３は、１つの唾液伝達管からなって上記ティップス嵌挿溝２１２ａ、２１２ｂに分岐されて連結されても良い。
また、上記各唾液伝達管２１３ａ、２１３ｂの一側は、上記ハンドピース３００の吸引配管３３１、３３２と互いに連結され、他側は、上記舌保護用ティップス１００の唾液吸引管１４０と連結される。
すなわち、口腔内の唾液１は、上記舌保護用ティップス１００の唾液吸引管１４０に吸引され、上記バイトブロック２００の唾液伝達管２１３を通って上記ハンドピース３００の吸引配管３３０に伝達され、外部の吸引器(図示せず)に吸引される。
より詳しくは、上記吸引配管３３０と上記外部の吸引器(図示せず)は、唾液排出管３６０により連通され、上記吸引配管３３０に伝達される唾液１が上記唾液排出管３６０を通過して上記外部の吸引器(図示せず)に排出される。
しかしながら、上記唾液排出管３６０は上記吸引配管３３０と異なる配管であっても同一の配管であっても良い。
また、上記ブロック本体２１０の上部および下部には、患者の上下歯によって噛まれる凹溝２１４が、バイト凹溝２１４の底部には、上記上下歯の滑り止めのためのバイト凹凸２１５が形成される。
すなわち、上記ブロック本体２１０は、患者の上下歯に噛まれた状態で前後左右に動けないので、歯から離脱することなく、上記光源３１０が安定的に口腔内部を照明することができる。
上記舌保護用ティップス１００は、図４〜図６を参照して説明した舌保護用ティップス１００と同一であるので説明は省略する。
【産業上の利用可能性】
【０００９】
本発明に係る舌保護用ティップス(ＴＩＰＳ:Ｔｗｉｓｔ Ｉｓｏｌａｔｅｄ Ｐｌａｔｅ ｏｆ Ｓｕｃｔｉｏｎ)、バイトブロックおよび唾液吸引機能を有する口腔照明器は、医療分野、特に、歯科や耳鼻咽喉科の分野において患者の口腔内治療を安全、且つ効果的に行うことができる。
【符号の説明】
【００１０】
１００  舌保護用ティップス
１１０  ブロック嵌挿部
１２０  ティップス本体部
１３０舌保護部
１４０  唾液吸引管
２００  バイトブロック
２１０  ブロック本体    
２１１  光源挿入溝
２１２  ティップス嵌挿溝
２１３  唾液伝達管
２１４  バイト凹溝    
２１５  バイト凹凸
３００  ハンドピース
３１０  光源
３２０  光源制御スイッチ
３３０  吸引配管
３４０  弁
３５０  弁駆動レバー
【図１】
2012505702.tif 000003
【図２】
2012505702.tif 000004
【図３】
2012505702.tif 000005
【図４】
2012505702.tif 000006
【図５】
2012505702.tif 000007
【図６】
2012505702.tif 000008
【図７】
2012505702.tif 000009
【図８】
2012505702.tif 000010
【図９】
2012505702.tif 000011
【国際調査報告】
2012505702.tif 000012
2012505702.tif 000013
2012505702.tif 000014
2012505702.tif 000015
2012505702.tif 000016
2012505702.tif 000017